【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
移動体（１）に搭載され、投影部材（３）での反射を用いて、前記移動体の乗員により視認可能な虚像（ＶＩａ，ＶＩｂ）を複数表示するヘッドアップディスプレイ装置であって、
前記虚像を表示するための表示光を各々の所定方向に偏光した状態で発し、前記表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
前記複数の表示器に対して共通に設けられ、光学的に開口し、各前記表示器からの各前記表示光を前記投影部材へ向けて通過させる光学的開口部（７）と、
各前記光路のうち少なくとも１つの光路上に配置され、前記光路に対応する前記表示器からの前記表示光を反射する反射鏡（３０，４０，２４０，３４０，４４０，５３０，５４０，６３０，６４０，７３０，７４０）と、を備え、
各前記表示光の偏光方向（ＰＤａ，ＰＤｂ）は、前記光学的開口部への入射直前において、互いに合わせられており、
各前記光路における前記反射鏡としては、各前記表示器に対応する各前記光路間で共用される共用反射鏡のみが設けられ、
各前記表示光の偏光方向は、前記共用反射鏡への入射直前において、互いに合わせられているヘッドアップディスプレイ装置。
【請求項２】
各前記表示光は、前記反射鏡における入射面（Ｐａ，Ｐａ１，Ｐａ２，Ｐｂ）に対する平行方向又は垂直方向に沿った前記偏光方向にて、前記反射鏡に入射する請求項１に記載のヘッドアップディスプレイ装置。
【請求項３】
各前記表示光の偏光方向は、各前記表示器の射出直後において、互いに合わせられている請求項１又は２に記載のヘッドアップディスプレイ装置。
【請求項４】
移動体（１）に搭載され、投影部材（３）での反射を用いて、前記移動体の乗員により視認可能な虚像（ＶＩａ，ＶＩｂ）を複数表示するヘッドアップディスプレイ装置であって、
前記虚像を表示するための表示光を各々の所定方向に偏光した状態で発し、前記表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
前記複数の表示器に対して共通に設けられ、光学的に開口し、各前記表示器からの各前記表示光を前記投影部材へ向けて通過させる光学的開口部（７）と、
各前記光路のうち少なくとも１つの光路上に配置され、前記光路に対応する前記表示器からの前記表示光を反射する反射鏡（３０，４０，２４０，３４０，４４０，５３０，５４０，６３０，６４０，７３０，７４０）と、を備え、
各前記表示光の偏光方向（ＰＤａ，ＰＤｂ）は、前記光学的開口部への入射直前において、互いに合わせられており、
前記反射鏡は、複数設けられ、
各前記反射鏡は、対応する前記光路の前記表示光が、前記反射鏡における入射面に対して所定の角度で傾斜した偏光方向にて、前記反射鏡に入射するように配置された傾斜偏光配置反射鏡を１つ以上含み、
各前記光路は、前記傾斜偏光配置反射鏡での反射回数が偶数回となる偶数回反射光路と、前記傾斜偏光配置反射鏡での反射回数が奇数回となる奇数回反射光路との両方を含み、
前記偶数回反射光路における最初の前記傾斜偏光配置反射鏡への入射直前における前記表示光の偏光方向と、前記奇数回反射光路における最初の前記傾斜偏光配置反射鏡への入射直前における前記表示光の偏光方向とは、それぞれに対応する前記最初の傾斜偏光配置反射鏡における入射面と直交する直交軸（ＯＡ）を対象線として、互いに線対称の関係となっているヘッドアップディスプレイ装置。
【請求項５】
前記偶数回反射光路及び前記奇数回反射光路のいずれか一方に配置され、前記線対称の関係が成立するように、前記一方の光路に対応する前記表示器からの前記表示光の偏光方向を回転する位相差板（６５０）を、さらに備える請求項４に記載のヘッドアップディスプレイ装置。
【請求項６】
前記偶数回反射光路及び前記奇数回反射光路のいずれか一方に配置され、前記線対称の関係が成立するように、前記一方の光路に対応する前記表示器からの前記表示光の偏光方向を変更する偏光子（７５２）を、さらに備える請求項４に記載のヘッドアップディスプレイ装置。
【請求項７】
移動体（１）に搭載され、投影部材（３）での反射を用いて、前記移動体の乗員により視認可能な虚像（ＶＩａ，ＶＩｂ）を複数表示するヘッドアップディスプレイ装置であって、
前記虚像を表示するための表示光を各々の所定方向に偏光した状態で発し、前記表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
前記複数の表示器に対して共通に設けられ、光学的に開口し、各前記表示器からの各前記表示光を前記投影部材へ向けて通過させる光学的開口部（７）と、を備え、
各前記表示光の偏光方向（ＰＤａ，ＰＤｂ）は、前記光学的開口部への入射直前において、互いに合わせられており、
各前記表示器に対応する各前記光路のうち、少なくとも１つの特定の前記光路上に配置され、前記光学的開口部への入射直前にて各前記表示光の偏光方向が合うように、前記特定の光路に対応する前記表示器からの前記表示光の偏光方向を回転する位相差板（３５０）を、さらに備えるヘッドアップディスプレイ装置。
【請求項８】
移動体（１）に搭載され、投影部材（３）での反射を用いて、前記移動体の乗員により視認可能な虚像（ＶＩａ，ＶＩｂ）を複数表示するヘッドアップディスプレイ装置であって、
前記虚像を表示するための表示光を各々の所定方向に偏光した状態で発し、前記表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
前記複数の表示器に対して共通に設けられ、光学的に開口し、各前記表示器からの各前記表示光を前記投影部材へ向けて通過させる光学的開口部（７）と、を備え、
各前記表示光の偏光方向（ＰＤａ，ＰＤｂ）は、前記光学的開口部への入射直前において、互いに合わせられており、
各前記表示器に対応する各前記光路のうち、少なくとも１つの特定の前記光路上に配置され、前記光学的開口部への入射直前にて各前記表示光の偏光方向が合うように、対応する前記表示器からの前記表示光の偏光方向を変更する偏光子（４５２）を、さらに備えるヘッドアップディスプレイ装置。
【請求項９】
各前記光路のうち少なくとも１つの光路上に配置され、前記光路に対応する前記表示器からの前記表示光を反射する反射鏡（３０，４０，２４０，３４０，４４０，５３０，５４０，６３０，６４０，７３０，７４０）を、さらに備える請求項７又は８に記載のヘッドアップディスプレイ装置。
【請求項１０】
各前記表示光は、前記反射鏡における入射面（Ｐａ，Ｐａ１，Ｐａ２，Ｐｂ）に対する平行方向又は垂直方向に沿った前記偏光方向にて、前記反射鏡に入射する請求項９に記載のヘッドアップディスプレイ装置。
【請求項１１】
前記反射鏡として、各前記表示器に対応する各前記光路間で共用される共用反射鏡が設けられている請求項９又は１０に記載のヘッドアップディスプレイ装置。
【請求項１２】
各前記光路における前記反射鏡としては、各前記表示器に対応する各前記光路間で共用される共用反射鏡のみが設けられ、
各前記表示光の偏光方向は、前記共用反射鏡への入射直前において、互いに合わせられている請求項９又は１０に記載のヘッドアップディスプレイ装置。
【請求項１３】
各前記表示光の偏光方向は、各前記表示器の射出直後において、互いに異なっている請求項４から８のいずれか１項に記載のヘッドアップディスプレイ装置。
【請求項１４】
各前記表示光の偏光方向は、前記光学的開口部への入射直前において、互いに同じ方向に沿っている請求項１から１３のいずれか１項に記載のヘッドアップディスプレイ装置。
【請求項１５】
前記光学的開口部は、各前記表示光を透過させる透光板（７ａ）によって塞がれている請求項１から１４のいずれか１項に記載のヘッドアップディスプレイ装置。
【手続補正２】
【補正対象書類名】明細書
【補正対象項目名】００１１
【補正方法】変更
【補正の内容】
【００１１】
開示された発明のひとつは、移動体（１）に搭載され、投影部材（３）での反射を用いて、移動体の乗員
により視認可能な虚像（ＶＩａ，ＶＩｂ）を複数表示するヘッドアップディスプレイ装置であって、
虚像を表示するための表示光を各々の所定方向に偏光した状態で発し、表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
複数の表示器に対して共通に設けられ、光学的に開口し、各表示器からの各表示光を投影部材へ向けて通過させる光学的開口部（７）と、
各光路のうち少なくとも１つの光路上に配置され、光路に対応する表示器からの表示光を反射する反射鏡（３０，４０，２４０，３４０，４４０，５３０，５４０，６３０，６４０，７３０，７４０）と、を備え、
各表示光の偏光方向（ＰＤａ，ＰＤｂ）は、光学的開口部への入射直前において、互いに合わせられており、
各光路における反射鏡としては、各表示器に対応する各光路間で共用される共用反射鏡のみが設けられ、
各表示光の偏光方向は、共用反射鏡への入射直前において、互いに合わせられている。
また、開示された発明の他のひとつは、移動体（１）に搭載され、投影部材（３）での反射を用いて、移動体の乗員により視認可能な虚像（ＶＩａ，ＶＩｂ）を複数表示するヘッドアップディスプレイ装置であって、
虚像を表示するための表示光を各々の所定方向に偏光した状態で発し、表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
複数の表示器に対して共通に設けられ、光学的に開口し、各表示器からの各表示光を投影部材へ向けて通過させる光学的開口部（７）と、
各光路のうち少なくとも１つの光路上に配置され、光路に対応する表示器からの表示光を反射する反射鏡（３０，４０，２４０，３４０，４４０，５３０，５４０，６３０，６４０，７３０，７４０）と、を備え、
各表示光の偏光方向（ＰＤａ，ＰＤｂ）は、光学的開口部への入射直前において、互いに合わせられており、
反射鏡は、複数設けられ、
各反射鏡は、対応する光路の表示光が、反射鏡における入射面に対して所定の角度で傾斜した偏光方向にて、反射鏡に入射するように配置された傾斜偏光配置反射鏡を１つ以上含み、
各光路は、傾斜偏光配置反射鏡での反射回数が偶数回となる偶数回反射光路と、傾斜偏光配置反射鏡での反射回数が奇数回となる奇数回反射光路との両方を含み、
偶数回反射光路における最初の傾斜偏光配置反射鏡への入射直前における表示光の偏光方向と、奇数回反射光路における最初の傾斜偏光配置反射鏡への入射直前における表示光の偏光方向とは、それぞれに対応する最初の傾斜偏光配置反射鏡における入射面と直交する直交軸（ＯＡ）を対象線として、互いに線対称の関係となっている。
また、開示された発明の他のひとつは、移動体（１）に搭載され、投影部材（３）での反射を用いて、移動体の乗員により視認可能な虚像（ＶＩａ，ＶＩｂ）を複数表示するヘッドアップディスプレイ装置であって、
虚像を表示するための表示光を各々の所定方向に偏光した状態で発し、表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
複数の表示器に対して共通に設けられ、光学的に開口し、各表示器からの各表示光を投影部材へ向けて通過させる光学的開口部（７）と、を備え、
各表示光の偏光方向（ＰＤａ，ＰＤｂ）は、光学的開口部への入射直前において、互いに合わせられており、
各表示器に対応する各光路のうち、少なくとも１つの特定の光路上に配置され、光学的開口部への入射直前にて各表示光の偏光方向が合うように、特定の光路に対応する表示器からの表示光の偏光方向を回転する位相差板（３５０）を、さらに備える。
また、開示された発明の他のひとつは、移動体（１）に搭載され、投影部材（３）での反射を用いて、移動体の乗員により視認可能な虚像（ＶＩａ，ＶＩｂ）を複数表示するヘッドアップディスプレイ装置であって、
虚像を表示するための表示光を各々の所定方向に偏光した状態で発し、表示光による光路（ＯＰａ，ＯＰｂ）を構成している複数の表示器（１０，２０，２１０，２２０，３１０，３２０，４１０，４２０，５１０，５２０，６１０，６２０，７１０，７２０）と、
複数の表示器に対して共通に設けられ、光学的に開口し、各表示器からの各表示光を投影部材へ向けて通過させる光学的開口部（７）と、を備え、
各表示光の偏光方向（ＰＤａ，ＰＤｂ）は、光学的開口部への入射直前において、互いに合わせられており、
各表示器に対応する各光路のうち、少なくとも１つの特定の光路上に配置され、光学的開口部への入射直前にて各表示光の偏光方向が合うように、対応する表示器からの表示光の偏光方向を変更する偏光子（４５２）を、さらに備える。